(57)【特許請求の範囲】
【請求項１】
釣り竿に装着され、前記釣り竿と食い違う軸周りに釣り糸を巻き取る両軸受リールであって、
前記釣り竿に装着されるリール本体と、
前記リール本体の内部に回転自在に装着された糸巻用のスプールと、
前記リール本体の一側部に回転自在に装着されたハンドルと、
前記ハンドルの回転を前記スプールに伝達するハンドル回転伝達機構と、
前記ハンドル回転伝達機構の伝達経路の途中に設けられ前記ハンドルと前記スプールとを連結・遮断するクラッチ機構と、
前記スプールの前方に前記スプールの回転軸に沿って配置され前記スプールの糸巻取及び糸繰り出し方向の回転に連動して回転する螺軸と、前記螺軸により前記回転軸に沿って往復移動する釣り糸案内部とを有し、前記スプールに釣り糸を整列して巻き付けるためのレベルワインド機構と、
前記ハンドル回転伝達機構と別に設けられ、前記スプールの前記ハンドル装着側と逆側に配置され、前記スプールから前記螺軸に回転を伝達するスプール回転伝達機構と、
前記螺軸の前記ハンドル装着側に設けられた回転部材と、前記回転部材に対して接離自在に前記リール本体に設けられ回転する前記回転部材との接触により振動する音出し部材と、前記音出し部材を前記回転部材に接触する発音位置と前記回転部材から離反する離反位置とに移動操作するために前記リール本体の前記ハンドル装着側に移動自在に設けられた操作機構とを有するスプール発音機構と、を備え、
前記操作機構は、前記リール本体の前記ハンドル装着側に第１位置と第２位置とに移動自在にかつ前記リール本体の外側面に露出して配置された操作部材を有する、両軸受リール。
【請求項２】
釣り竿に装着され、前記釣り竿と食い違う軸周りに釣り糸を巻き取る両軸受リールであって、
前記釣り竿に装着されるリール本体と、
前記リール本体の内部に回転自在に装着された糸巻用のスプールと、
前記リール本体の一側部に回転自在に装着されたハンドルと、
前記ハンドルの回転を前記スプールに伝達するためのハンドル回転伝達機構と、
前記ハンドル回転伝達機構の伝達経路の途中に設けられ前記ハンドルと前記スプールとを連結・遮断するクラッチ機構と、
前記スプールの前方に前記スプールの回転軸に沿って配置され前記スプールの糸巻取及び糸繰り出し方向の回転に連動して回転する螺軸と、前記螺軸により前記回転軸に沿って往復移動する釣り糸案内部とを有し、前記スプールに釣り糸を整列して巻き付けるためのレベルワインド機構と、
前記スプールより前記ハンドル装着側で前記スプールから前記螺軸に回転を伝達するスプール回転伝達機構と、
前記スプール回転伝達機構に連動して設けられた回転部材と、前記回転部材に対して接離自在に前記リール本体に設けられ回転する前記回転部材との接触により振動する音出し部材と、前記音出し部材を前記回転部材に接触する発音位置と前記回転部材から離反する離反位置とに移動操作するために前記リール本体の前記ハンドル装着側に移動自在に設けられた操作機構とを有するスプール発音機構と、を備え、を備え、
前記操作機構は、前記リール本体の前記ハンドル装着側に第１位置と第２位置とに移動自在にかつ前記リール本体の外側面に露出して配置された操作部材を有する、両軸受リール。
【請求項３】
前記操作機構は、前記操作部材の第１位置への移動により前記音出し部材を前記離反位置に配置し第２位置への移動により前記発音位置に移動させる移動部材を有する、請求項１又は２に記載の両軸受リール。
【請求項４】
前記操作部材は、前記リール本体の前記スプールを挟んで前記釣り竿装着部分と逆側の外周面に露出している、請求項１から３のいずれかに記載の両軸受リール。
【請求項５】
前記操作部材は、前記ハンドルの回転軸芯の近傍に配置されている、請求項４に記載の両軸受リール。
【請求項６】
前記操作部材は、前記リール本体に前記第１位置と前記第２位置とに揺動自在に配置されている、請求項１から５のいずれかに記載の両軸受リール。
【請求項７】
前記スプールのハンドル装着側と逆側に配置され前記スプールを制動するブレーキ機構をさらに備える、請求項１から６のいずれかに記載の両軸受リール。
【発明の詳細な説明】
【０００１】
【発明の属する技術分野】
本発明は、釣り用リール、釣り竿に装着され、釣り竿と食い違う軸周りに釣り糸を巻き取る両軸受リールに関する。
【０００２】
【従来の技術】
両軸受リールは、釣り竿の長手方向と直交する軸に平行な軸回りに釣り糸を巻き取るリールである。両軸受リールは、釣り竿に装着されたリール本体と、リール本体に回転自在に装着されたハンドルと、リール本体に回転自在に支持された糸巻用のスプールと、ハンドルの回転をスプールに伝達するハンドル回転伝達機構と、ハンドル回転伝達機構の伝達経路の途中に設けられたクラッチ機構とを備えている。また、スプールに釣り糸を整列して巻き付けるためにレベルワインド機構を設けたものもある。レベルワインド機構は、スプールの前方にスプールと平行に配置された螺軸と、螺軸によりスプール軸方向に移動する釣り糸案内部とを有している。レベルワインド機構を有するものでは、スプールの回転を螺軸に伝達するスプール回転伝達機構がさらに設けられている。スプール回転伝達機構は、通常ハンドル装着側と逆側でスプール軸に固定された駆動ギアを有している。
【０００３】
この種の両軸受リールで、クラッチ機構のオンオフにかかわらず、スプールが回転すると発音するとともに、発音可能状態と発音不能状態とに切換可能なスプール発音機構を備えたものが知られている。このようなスプール発音機構を備えていると、釣りを行っているときには発音可能状態にし、仕掛けを投入するときや巻き上げるときには発音不能状態に切り換えできるので、仕掛けに魚がかかったときに発音によりそのことを報知できるとともに、仕掛けを投入するときや巻き上げるときに回転抵抗を小さくすることができる。
【０００４】
従来のスプール発音機構は、スプール軸とハンドル装着側と逆側でスプールと並べて配置された回転部材と、回転部材との接触により振動する音出し部材と、音出し部材を回転部材に接触する発音位置と回転部材から離反する離反位置とに移動操作するための操作機構とを備えている。音出し部材は、回転部材に対して接離自在にリール本体に設けられている。操作機構は、リール本体のハンドル装着側と逆側で操作可能である。このスプール発音機構では、たとえば、巻き上げ時や仕掛けの投入時には操作機構により音出し部材を離反位置に操作し回転抵抗を小さくする。仕掛けを投入した後は音出し部材を接触位置に配置し、スプールの回転により発音するようにする。
【０００５】
【発明が解決しようとする課題】
前記従来の構成では、とくにスプール回転伝達機構の駆動ギアがスプール軸に装着されている場合、駆動ギアと回転部材とをスプール軸に並べて配置しなければならない。このため、スプール軸の軸方向長さが長くなり、リールの小型化の障害となるという問題がある。この問題は、スプールを制動するブレーキ機構をスプールのハンドル装着側と逆側に装着した場合にはさらに顕著になる。また、リール本体のハンドル装着側と逆側の部分は、パーミングなどを行う際に頻繁に接触する部分である。このため、操作機構をハンドル装着側と逆側に設けると、操作機構が掌に当たって誤操作するおそれがある。また、ハンドル装着側に設けられた操作機構がパーミングの邪魔になりパーミング時に違和感を生じるおそれがある。
【０００６】
本発明の課題は、スプール発音機構を有する両軸受リールにおいて、リールの大型化を招くことなくかつ誤操作を防止してパーミングしやすくすることにある。
【０００７】
【課題を解決するための手段】
発明１に係る両軸受リールは、釣り竿に装着され、釣り竿と食い違う軸周りに釣り糸を巻き取るリールであって、釣り竿に装着されるリール本体と、糸巻用のスプールと、ハンドルと、ハンドル回転伝達機構と、クラッチ機構と、レベルワインド機構と、スプール回転伝達機構と、スプール発音機構とを備えている。糸巻用のスプールは、リール本体の内部に回転自在に装着されている。ハンドルは、リール本体の一側部に回転自在に装着されている。ハンドル回転伝達機構は、ハンドルの回転をスプールに伝達する機構である。クラッチ機構は、ハンドル回転伝達機構の伝達経路の途中に設けられハンドルとスプールとを連結・遮断する機構である。レベルワインド機構は、スプールの前方にスプールの回転軸に沿って配置されスプールの糸巻取及び糸繰り出し方向の回転に連動して回転する螺軸と、螺軸により回転軸に沿って往復移動する釣り糸案内部とを有し、スプールに釣り糸を整列して巻き付けるための機構である。スプール回転伝達機構は、スプールのハンドル装着側と逆側に配置され、スプールから螺軸に回転を伝達する機構である。スプール発音機構は、螺軸のハンドル装着側に設けられた回転部材と、回転部材に対して接離自在にリール本体に設けられ回転する回転部材との接触により振動する音出し部材と、回転部材に接触する発音位置と回転部材から離反する離反位置とに音出し部材を移動操作するためにリール本体のハンドル装着側に移動自在に設けられた操作機構とを有している。操作機構は、リール本体のハンドル装着側に第１位置と第２位置とに移動自在にかつリール本体の外側面に露出して配置された操作部材を有する。
【０００８】
この両軸受リールでは、クラッチ機構によりハンドルとスプールとを連結しハンドルを回転させると、ハンドル回転伝達機構を介してスプールが回転する。スプールが回転するとスプール回転伝達機構により螺軸に回転が伝達されレベルワインド機構の釣り糸案内部がスプール軸に沿って往復移動して釣り糸がスプールに整列して巻き取られる。また、クラッチ機構によりスプールとハンドルとを遮断すると、スプールが自由回転可能状態になり、スプールから釣り糸を繰り出すことができる。このときにスプールが回転してもスプール回転伝達機構を介して螺軸に回転が伝達され釣り糸案内部が往復移動する。また、スプールが回転すると、螺軸のハンドル装着側に設けられた回転部材が回転し、音出し部材が発音位置に配置され回転部材に接触している場合には音出し部材が振動して発音する。音出し部材が離反位置に配置され回転部材から離反している場合には発音しない。この音出し部材の移動操作はリール本体のハンドル装着側に配置された操作機構により行える。
【０００９】
ここでは、操作機構がリール本体のハンドル装着側に配置されているので、パーミングなどを行う際に操作機構が接触しない。このため、パーミングの邪魔にならず違和感が生じにくいとともに、パーミングしても誤操作が生じない。また、螺軸のハンドル装着側に回転部材を装着したので、スプール軸に回転部材を装着する場合に比べてスプール軸の軸方向長さが短くて済み、リールの大型化を招くおそれがない。
【００１０】
発明２に係る両軸受リールは、釣り竿に装着され、釣り竿と食い違う軸周りに釣り糸を巻き取るリールであって、釣り竿に装着されるリール本体と、糸巻用のスプールと、ハンドルと、ハンドル回転伝達機構と、クラッチ機構と、レベルワインド機構と、スプール回転伝達機構と、スプール発音機構とを備えている。糸巻用のスプールは、リール本体の内部に回転自在に装着されている。ハンドルは、リール本体の一側部に回転自在に装着されている。ハンドル回転伝達機構は、ハンドルの回転をスプールに伝達する機構である。クラッチ機構は、ハンドル回転伝達機構の伝達経路の途中に設けられハンドルとスプールとを連結・遮断する機構である。レベルワインド機構は、スプールの前方にスプールの回転軸に沿って配置されスプールの糸巻取及び糸繰り出し方向の回転に連動して回転する螺軸と、螺軸により回転軸に沿って移動する釣り糸案内部とを有し、スプールに釣り糸を整列して巻き付けるための機構である。スプール回転伝達機構は、ハンドル回転伝達機構と別に設けられ、スプールよりハンドル装着側でスプールから螺軸に回転を伝達する機構である。スプール発音機構は、スプール回転伝達機構に連動して設けられた回転部材と、回転部材に対して接離自在にリール本体に設けられ回転する回転部材との接触により振動する音出し部材と、回転部材に接触する発音位置と回転部材から離反する離反位置とに音出し部材を移動操作するためにリール本体のハンドル装着側に移動自在に設けられた操作機構とを有している。操作機構は、リール本体のハンドル装着側に第１位置と第２位置とに移動自在にかつリール本体の外側面に露出して配置された操作部材を有する。
【００１１】
この両軸受リールでは、クラッチ機構によりハンドルとスプールとを連結しハンドルを回転させると、ハンドル回転伝達機構を介してスプールが回転する。スプールが回転するとスプール回転伝達機構により螺軸に回転が伝達されレベルワインド機構の釣り糸案内部がスプール軸に沿って往復移動して釣り糸がスプールに整列して巻き取られる。また、クラッチ機構によりスプールとハンドルとを遮断すると、スプールが自由回転可能状態になり、スプールから釣り糸を繰り出すことができる。このときにスプールが回転してもスプール回転伝達機構を介して螺軸に回転が伝達され釣り糸案内部が往復移動する。また、スプールが回転すると、スプール回転伝達機構に設けられた回転部材が回転し、音出し部材が発音位置に配置され回転部材に接触している場合には音出し部材が振動して発音する。また、音出し部材が離反位置に配置され回転部材から離反している場合には発音しない。この音出し部材の移動操作はリール本体のハンドル装着側に配置された操作機構により行える。
【００１２】
ここでは、操作機構がリール本体のハンドル装着側に配置されているので、パーミングなどを行う際に操作機構が接触しないため、パーミングの邪魔にならず違和感が生じにくいとともに、パーミングしても誤操作が生じない。また、ハンドル装着側に配置されたスプール回転伝達機構に回転部材を設けたので、スプール軸にスプール回転伝達機構と並べて回転部材を装着する場合に比べてスプール軸の軸方向長さが短くて済み、リールの大型化を招くおそれがない。
【００１３】
発明３に係る両軸受リールは、発明１又は２に記載のリールにおいて、操作機構は、操作部材の第１位置への移動により音出し部材を離反位置に配置し第２位置への移動により発音位置に移動させる移動部材を有する。この場合には、操作部材を第１位置に揺動させると音出し部材が移動部材を介して離反位置に配置され操作部材を第２位置に揺動させると発音位置に配置される。ここでは、移動部材を介して音出し部材を操作部材に連結しているので、操作部材の取付位置を操作しやすい位置に配置できる。
【００１４】
発明４に係る両軸受リールは、発明１から３のいずれかに記載のリールにおいて、操作部材は、リール本体のスプールを挟んで釣り竿装着部分と逆側の外周面に露出している。この場合には、通常の上使いのリールでは操作部材が上部に配置されるので、操作部材を釣り人が視認しやすくなる。
【００１５】
発明５に係る両軸受リールは、発明４に記載のリールにおいて、操作部材は、ハンドルの回転軸芯の近傍に配置されている。この場合には、リールを持ち替えることなくハンドルを操作する手で操作部材を操作できる。
【００１６】
発明６に係る両軸受リールは、発明１から５のいずれかに記載のリールにおいて、操作部材は、リール本体に第１位置と第２位置とに揺動自在に配置されている。この場合には、操作部材を揺動させているので、操作部材の取り付けが容易である。
【００１７】
発明７に係る両軸受リールは、発明１から６のいずれかに記載のリールにおいて、スプールのハンドル装着側と逆側に配置されスプールを制動するブレーキ機構をさらに備える。この場合には、ブレーキ機構をハンドル装着側と逆側に設けても、スプール軸の軸方向長さが短くて済み、リールの大型化を招くおそれがない。
【００１８】
【発明の実施の形態】
図１〜図３において、本発明の一実施形態による両軸受リールは、ベイトキャスト用の丸形の両軸受リールである。このリールは、リール本体１と、リール本体１の側方に配置されたスプール回転用ハンドル２と、ハンドル２のリール本体１側に配置されたドラグ調整用のスタードラグ３とを備えている。
【００１９】
ハンドル２は、板状のアーム部２ａと、アーム部２ａの両端に回転自在に装着された把手２ｂとを有するダブルハンドル形のものである。アーム部２ａは、図３に示すようにハンドル軸３０の先端に回転不能に装着されており、ナット２８によりハンドル軸３０に締結されている。
【００２０】
リール本体１は、例えばアルミニウム合金やマグネシウム合金などの金属製の部材であり、フレーム５と、フレーム５の両側方に装着された第１側カバー６及び第２側カバー７とを有している。リール本体１の内部には糸巻用のスプール１２がスプール軸２０（図３）を介して回転自在かつ着脱自在に装着されている。第１側カバー６は、スプール軸方向外方から見て円形であり、第２側カバー７は、交差する２つの円で構成されている。
【００２１】
フレーム５内には、図３に示すように、スプール１２と、サミングを行う場合の親指の当てとなるクラッチレバー１７と、スプール１２内に均一に釣り糸を巻くためのレベルワインド機構１８とが配置されている。またフレーム５と第２側カバー７との間には、ハンドル２からの回転力をスプール１２に伝えるためのハンドル回転伝達機構１９と、クラッチ機構２１と、クラッチレバー１７の操作に応じてクラッチ機構２１を制御するためのクラッチ制御機構２２と、スプール１２を制動するドラグ機構２３と、スプール１２の回転時の抵抗力を調整するためのキャスティングコントロール機構２４と、スプール１２回転時に発音するスプール発音機構２７とが配置されている。また、フレーム５と第１側カバー６との間には、キャスティング時のバックラッシュを抑えるための遠心ブレーキ機構２５と、スプール１２の回転をレベルワインド機構１８に伝達するスプール回転伝達機構２９が配置されている。
【００２２】
フレーム５は、図１及び図３に示すように所定の間隔をあけて互いに対向するように配置された１対の側板８，９と、これらの側板８，９を一体で連結する上下の連結部１０ａ，１０ｂとを有している。また、図３左側のハンドル装着側と逆側の側板８は、スプール軸方向から見て円形の内部に空間を有する扁平有底筒状の部材である。側板８の中心部よりやや上方には、スプール１２を着脱するための円形の開口８ａが形成されている。この開口８ａには、スプール支持部１３が着脱可能に配置されている。
【００２３】
スプール支持部１３は、図１，図３及び図６に示すように、開口８ａに着脱自在に装着されるリング部１４と、リング部１４の内周側にリング部１４と同芯に配置された有底筒状の軸受部１５と、リング部１４と軸受部１５とを連結するとリブ１６とを有している。これらの各部は一体成形された合成樹脂又は金属製の部材である。リング部１４の内周面には、遠心ブレーキ機構２５のブレーキライナー６８が固定されている。リング部１４の前部は前方に膨らんでおり、そこにスプール回転伝達機構２９の中間ギア４３（後述）が回転自在に支持されている。軸受部１５の内周面には、スプール軸２０の一端を回転自在に支持するための軸受２６ｂが装着されている。また底部には、キャスティングコントロール機構２４の摩擦プレート５１が装着されている。リブ１６は、リング部１４と軸受部１５とを連結するように直径に沿って配置されており、軸方向外方に向かって凸に湾曲して形成されている。この結果、リブ１６の両側に開口が形成される。この開口からスプール１２の側部が臨めるとともに、そこに指先を入れて遠心ブレーキ機構２５の調整が可能である。
【００２４】
上側の連結部１０ａは、側板８，９の外形と同一面に配置されており、下側の連結部１０ｂは、前後に１対設けられており、外形より内側に配置されている。下側の連結部１０ｂには、図１及び図７に示すように、リールを釣り竿に装着するための前後に長い、たとえばアルミニウム合金等の金属製の竿装着脚部４がリベット止めされている。
【００２５】
第１側カバー６は、スプール１２の着脱を可能にするために側板８に揺動自在に装着されフレーム５に対して開閉可能である。第１側カバー６は、閉姿勢から開姿勢に揺動自在である。第２側カバー７は、図２に示すように、側板９と同一の２つの外周円が交差する偏芯した円形の側面を有している。第２側カバー７は、たとえば３本のねじにより側板９に固定されている。
【００２６】
スプール１２は、図３に示すように、両側部に皿状のフランジ部１２ａを有しており、両フランジ部１２ａの間に筒状の糸巻き胴部１２ｂを有している。スプール１２は、糸巻き胴部１２ｂの内周側を貫通するスプール軸２０にたとえばセレーション結合により回転不能に固定されている。この固定方法はセレーション結合に限定されず、キー結合やスプライン結合等の種々の結合方法を用いることができる。
【００２７】
スプール軸２０は、側板９を貫通して第２側カバー７の外方に延びている。その延びた一端は、第２側カバー７に装着されたボス部７ｂに軸受２６ａにより回転自在に支持されている。またスプール軸２０の他端は前述したように軸受２６ｂにより回転自在に支持されている。
【００２８】
スプール軸２０の大径部分２０ａの右端は、側板９の外方に配置されており、そこにはクラッチ機構２１を構成する係合ピン２０ｂが固定されている。係合ピン２０ｂは、直径に沿って大径部分２０ａを貫通しており、その両端が径方向に突出している。スプール軸２０の係合ピン２０ｂの装着部分の内側は、側板９に装着された軸受２６ｃにより支持されている。
【００２９】
クラッチレバー１７は、図３に示すように、１対の側板８，９間の後部でスプール１２後方に配置されている。クラッチレバー１７は側板８，９間で上下方向にスライドする。クラッチレバー１７のハンドル装着側には、係合軸１７ａが側板９を貫通して一体形成されている。この係合軸１７ａは、クラッチ制御機構２２に係合している。
【００３０】
レベルワインド機構１８は、図３及び図７に示すように、スプール１２の前方で両側板８，９間に配置され、外周面に交差する螺旋状溝３３ａが形成された螺軸３３と、螺軸３３によりスプール軸方向に往復移動する釣り糸案内部３４とを有している。螺軸３３は、両端が側板８，９に装着された軸支持部３５，３６により回転自在に支持されている。螺軸３３図３左端（ハンド売る装着側と逆側の端部）には、スプール回転伝達機構２９を構成する従動ギア４４が装着されている。また、螺軸３３の図３右端（ハンドル装着側）には、スプール発音機構２７を構成する音出しギア４５が装着されている。
【００３１】
釣り糸案内部３４は、図７に示すように、螺軸３３の周囲に配置され一部が軸方向の全長にわたって切り欠かれたパイプ部材３９と、螺軸の上方に配置されたガイド軸４０とによりスプール軸２０方向に案内されている。釣り糸案内部３４には、螺旋状溝３３ａに係合する係止部材３４ａが回動自在に装着されており、螺軸３３の回転によりスプール軸方向に往復移動する。釣り糸案内部３４の上部には、釣り糸が通過する、たとえばＳｉＣ等の硬質セラミックス製の長円形のガイドリング３４ｂが装着されている。パイプ部材３９は、両端が軸支持部３５，３６に係止されている。
【００３２】
スプール回転伝達機構２９は、図３及び図６に示すように、スプール１２のハンドル装着側と逆側に配置されている。スプール軸２０に回転不能に装着された駆動ギア４２と、駆動ギア４２に噛み合う中間ギア４３と、中間ギアに噛み合う従動ギア４４とを有している。中間ギア４３は駆動ギア４２に噛み合う小径の第１ギア４３ａと、第１ギア４３ａと同芯に配置された大径の第２ギア４３ｂとを有する段付きギアであり、第２ギア４３ｂが従動ギア４４に噛み合っている。中間ギア４３は、スプール支持部１３のリング部１４に回転自在に装着されている。従動ギア４４は、前述したように螺軸３３の図３右端（ハンドル装着側と逆側）に装着されている。これによりスプール軸２０の回転が減速して螺軸３３に伝達される。このような構成により、螺軸３３は、スプール１２の回転に連動して回転し、レベルワインド機構１８は、スプール１２の回転方向にかかわらずスプール１２が回転すると動作する。
【００３３】
ハンドル回転伝達機構１９は、図３に示すように、ハンドル軸３０と、ハンドル軸３０に固定されたメインギア３１と、メインギア３１に噛み合う筒状のピニオンギア３２とを有している。ハンドル軸３０は、側板９及びボス部７ａに回転自在に装着されており、ローラ型のワンウェイクラッチ８６及び爪式のワンウェイクラッチ８７により糸繰り出し方向の回転（逆転）が禁止されている。
【００３４】
ワンウェイクラッチ８６は、ボス部７ａとハンドル軸３０との間に装着されている。メインギア３１は、ハンドル軸３０に回転自在に装着されており、ハンドル軸３０とドラグ機構２３を介して連結されている。
【００３５】
ピニオンギア３２は、図３に示すように、側板９の外方に延び、中心にスプール軸２０が貫通する筒状部材であり、スプール軸２０に軸方向に移動自在に装着されている。ピニオンギア３２の図３左端部には係合ピン２０ｂに噛み合う噛み合い溝３２ａが形成されている。この噛み合い溝３２ａと係合ピン２０ｂとによりクラッチ機構２１が構成される。また中間部にはくびれ部３２ｂが、右端部にはメインギア３１に噛み合うギア部３２ｃがそれぞれ形成されている。
【００３６】
クラッチ制御機構２２は、スプール軸２０方向に沿って移動するクラッチヨーク５７を有している。また、クラッチ制御機構２２は、スプール１２の糸巻取方向の回転に連動してクラッチ機構２１をクラッチオンさせるクラッチ戻し機構（図示せず）を有している。
【００３７】
キャスティングコントロール機構２４は、スプール軸２０の両端を挟むように配置された複数の摩擦プレート５１と、摩擦プレート５１によるスプール軸２０の挟持力を調節するための制動キャップ５２とを有している。左側の摩擦プレート５１は、スプール支持部１３内に装着されている。
【００３８】
遠心ブレーキ機構２５は、図３及び図６に示すように、スプール１２と一体回転するようにスプール軸２０に固定された回転部材６６と、回転部材６６に周方向に間隔を隔てて配置され径方向に移動自在に装着された筒状の摺動子６７と、リング部１４の内周面に固定され摺動子６７に接触可能なブレーキライナー６８とを有している。回転部材６６は、軸受部１５の外周側に配置される円板部６６ａを有しており、円板部６６ａには、周方向に間隔を隔てて、たとえば６つの凹部６６ｂが形成されている。各凹部６６ｂには、対向する２対の係止突起７０ａ，７０ｂが径方向に間隔を隔てて形成されている。係止突起７０ａは、外周部に互いに突出して形成され、摺動子６７を抜け止めするための突起である。係止突起７０ｂは、係止突起７０ａより内周側に形成され、摺動子６７がブレーキライナー６８に接触しないようにするための突起である。また、凹部６６ｂの底面には、径方向に延びるガイド軸６９が放射状に配置されている。このガイド軸６９に摺動子６７が移動自在に案内される。
【００３９】
摺動子６７は、筒状の部材であり、その内周側の端部に他の部分より大径で係止突起７０ａ，７０ｂに係止される鍔部６７ａを有している。摺動子６７はスプール１２が回転すると遠心力によりブレーキライナー６８に接触してスプール１２を制動する。このとき、鍔部６７ａが係止突起７０ｂを乗り越えてそれより内周側に配置されると、遠心力が作用しても鍔部６７ａが係止突起７０ｂに接触してブレーキライナー６８に接触できない。この摺動子６７の径方向位置を切り換えることにより、遠心ブレーキ機構２５の制動力を調整できる。
【００４０】
スプール発音機構２７は、図４及び図５に示すように、リール本体１のハンドル装着側、すなわち、側板９と第２側カバー７との間に装着されている。スプール発音機構２７は、螺軸３３の右端に装着された音出しギア（回転部材の一例）４５と、音出しギア４５に対して接離する音出し爪（音出し部材の一例）４６と、側板９に揺動自在に装着された操作レバー（操作部材の一例）４７と、操作レバー４７と音出し爪４６と連結する連結リンク（移動部材の一例）４８とを有している。
【００４１】
音出しギア４５は、外周に多数の直歯を有するギアであり、螺軸３３に回転不能に装着されている。これにより音出しギア４５は螺軸３３の回転に連動して回転する。
【００４２】
音出し爪４６は、尖った先端部４６ａを有する部材であり、その側部に係止されたコイルばね５５により斜め下方に向けて音出しギア４５に接近する方向に付勢されている。ただし、コイルばね５５の付勢方向はハンドル軸３０側に偏っているので、音出しギア４５の回転方向に応じて音出し爪４６に対する付勢力は変化する。音出し爪４６は、側板９に対して音出しギア４５に接触する音出し位置と音出しギア４５から離反する離反位置とに移動自在であり、連結リンク４８の一端に揺動確度を規制された状態で連結されている。音出し爪４６の連結リンク４８との連結部分には長孔４６ｂが形成されている。この長孔４６ｂには連結ピン５６が装着されており、連結ピン５６により連結リンク４８に連結されている。したがって、音出し爪は連結リンク４８に対して、連結リンク４８の長手方向に長孔分だけ移動自在である。これにより、音出し位置に配置された音出し爪４６は音出しギア４５が回転すると揺動するとともに音出しギア４５の径方向外方にも後退して振動し、歯切れのよい大きな音を発生できる。
【００４３】
操作レバー４７は、図２に二点鎖線で示す離反姿勢と実線で示す音出し姿勢とを取り得る。操作レバー４７は、レバー部４７ａとレバー部４７ａが回転不能に連結されたカム部４７ｂとを有している。レバー部４７ａは、第２側カバー７に形成された凹部７ｃに配置されており、揺動中心から径方向に延びる部材である。カム部４７ｂは、側板９にねじ込み固定された揺動軸５３に揺動自在に装着されている。カム部４７ｂは、揺動軸５３の先端にねじ込まれた固定ねじ５４により、第２側カバー７を挟んでレバー部４７ａに回転不能に固定されている。カム部４７ｂは、カム部４７ｂの側板９の端面には棒状のカム突起４７ｃが側板９に向けて突出している。このカム突起４７ｃに連結リンク４８の他端が揺動自在に連結されている。カム突起４７ｃの先端は、側板９に形成された円弧溝９ａに係合しており、これにより操作レバー４７の揺動角度が離反姿勢と二点鎖線で示す音出し姿勢との間になるように規制されている。カム部４７ｂには一端が側板９に係止されたトグルばね５７が係止されており、トグルばね５７により離反姿勢と音出し姿勢とに振り分けて付勢されている。
【００４４】
連結リンク４８は、板状の部材であり、操作レバー４７の揺動を音出し爪４６の音出しギア４５に対して接離する方向の移動に変換するために設けられている。連結リンク４８は、前述したように一端に音出し爪４が連結ピン５６により連結され、他端に操作レバー４７のカム部４７ｂにカム突起４７ｃにより連結されている。連結リンク４８の長手方向の中間部には、側板９にねじ込み固定されたガイドピン５８により案内されるガイド溝４８ａが形成されている。
【００４５】
ここで、レベルワインド機構１８の螺軸３３のハンドル装着側端部にスプール発音機構２７の音出しギア４５を装着したのは次の理由による。すなわち、スプール１２やスプール軸２０のハンドル装着側に音出しギアを装着すると、たとえば、クラッチ機構２１のピニオンギア３１と軸方向に並べて配置するか、ピニオンギア３１の外周側に配置しなければならない。前者の場合、スプール軸方向の長さが長くなり、後者の場合、音出しギアの構成が複雑になる。しかし、螺軸３３に装着すれば上記の問題は生じないからである。
【００４６】
〔実釣時のリールの操作及び動作〕
キャスティングを行うときには、操作レバー４７を離反姿勢にしてスプール発音機構２７が発音しないようにする。これにより、スプール１２に対する抵抗が減少する。そして、クラッチレバー１７を下方に押圧してクラッチ機構２１をクラッチオフ状態にする。このクラッチオフ状態では、スプール１２が自由回転状態になり、キャスティングを行うと仕掛けの重さにより釣り糸がスプール１２から勢いよく繰り出される。
【００４７】
仕掛けが着水すると、ハンドル２を糸巻取方向に回転させて図示しないクラッチ戻し機構によりクラッチ機構２１をクラッチオン状態にし、リール本体１をパーミングしてアタリを待つ。これとともに、操作レバー４７を離反姿勢から発音姿勢に揺動させる。この操作レバー４７は、リール本体１のハンドル装着側に配置されているので、パーミングなどを行う際に操作レバー４７が手に接触しない。このため、パーミングの邪魔にならず違和感が生じにくいとともに、パーミングしても誤操作が生じない。また、螺軸３３のハンドル装着側に音出しギア４５を装着したので、スプール軸２０に回転部材を装着する場合に比べてスプール軸２０の軸方向長さが短くて済み、リールの大型化を招くおそれがない。
【００４８】
操作レバー４７を発音姿勢に揺動させると、カム突起４７ｃに連結された連結リンク４８がガイド軸５８に案内されて音出しギア４５に接近する方向に移動し、コイルばね５５により付勢された音出し爪４６が離反位置から音出し位置に移動する。この結果、音出し爪４６が音出しギア４５に接触する。この状態でハンドル２の回転又は魚の引きなどによりスプール１２が糸巻取方向又は糸繰り出し方向回転すると、その回転がスプール回転伝達機構２９を介して螺軸３３に伝達され、レベルワインド機構１８が動作するとともに、螺軸３３に装着された音出しギア４５が回転して音出し爪４６との衝突を繰り返して音出し爪４６が振動して発音する。このとき、コイルばね５５による付勢力が偏っているので、音出し爪４６が音出しギア４５に接触する力がスプール１２の回転方向によって異なり、発生した音により回転方向を判断できる。
【００４９】
また、仕掛けを投入した状態でクラッチ機構２１をそのままクラッチオフ状態にして、操作レバー４７を発音姿勢に揺動させてもよい。たとえば、泳がせ釣りのような生き餌を使った釣りの場合には、キャスティングコントロール機構２４によりスプール１２の制動力を調整してクラッチオフ状態のままにしておくことがある。この場合には、生き餌に魚がかかってスプール１２が糸繰り出し方向に回転すると発音するので、置き竿しても魚がかかったことがすぐにわかる。
【００５０】
〔他の実施形態〕
（ａ）前記実施形態では、スプール回転伝達機構２９がハンドル装着側と逆側にあるので、螺軸３３のハンドル装着側に回転部材としての音出しギアを配置した。しかし、スプール回転伝達機構がハンドル装着側にある場合には、スプール回転伝達機構を構成するギア又はそのギアに噛み合うギアを回転部材とし、その回転部材に対して音出し部材を接離させるようにしてもよい。この場合、スプール回転伝達機構を構成するギアに音出し爪を直接接触させるよりは、そのギアに連動する部材に音出し爪を接触させる方が伝達部品の寿命などを考慮すると好ましい。
【００５１】
（ｂ）前記実施形態では、操作部材としての操作レバー４７を揺動させたが、操作部材の移動形態は揺動に限定されず直線的な移動やその他の移動であってもよい。
【００５２】
（ｃ）前記実施形態では、回転部材をギアで構成し、音出し部材を爪で構成したが、回転部材や音出し部材の構成はこれに限定されず、接触時に相対回転により発音する構成であれば、どのような構成でもよい。
【００５３】
（ｄ）前記実施形態では、ブレーキ機構として遠心ブレーキ機構２５を例示したが、ブレーキ機構の構成は遠心式のものに限定されず、磁石式のものやそれらを組み合わせた方式のものも含まれる。
【００５４】
【発明の効果】
本発明によれば、操作機構がリール本体のハンドル装着側に配置されているので、パーミングなどを行う際に操作機構が接触しない。このため、パーミングの邪魔にならず違和感が生じにくいとともに、パーミングしても誤操作が生じない。また、螺軸のハンドル装着側に回転部材を装着したので、スプール軸に回転部材を装着する場合に比べてスプール軸の軸方向長さが短くて済み、リールの大型化を招くおそれがない。
【図面の簡単な説明】
【図１】  本発明の一実施形態を採用した両軸受リールの斜視図。
【図２】  その左側面図。
【図３】  その平面断面図。
【図４】  その第２側カバーを外した状態でのスプール発音機構の側面図。
【図５】  スプール発音機構の分解斜視図。
【図６】  第１側カバーを開けたときの右側面図。
【図７】  図３のVII−VII断面図。
【符号の説明】
１  リール本体
２  ハンドル
５  フレーム
６，７  第１及び第２側カバー
８，９  側板
１２  スプール
１８  レベルワインド機構
１９  ハンドル回転伝達機構
２０  スプール軸
２１  クラッチ機構
２７  スプール発音機構
２９  スプール回転伝達機構
３３  螺軸
３４  釣り糸案内部
４５  音出しギア
４６  音出し爪
４７  操作レバー
４８  連結リンク
【図１】
0004772979.tif 000002
【図２】
0004772979.tif 000003
【図３】
0004772979.tif 000004
【図４】
0004772979.tif 000005
【図５】
0004772979.tif 000006
【図６】
0004772979.tif 000007
【図７】
0004772979.tif 000008